(57)【要約】【課題】  抵抗層７等、従来、帯電粒子９の移動空間２０に露出していた層の必要な性質、本質的な機能を損なわせることなく、画像表示のメモリ性を改善できる粒子移動型表示装置１００を提供する。【解決手段】  表示面の中央に表示電極５を配置し、隔壁３に形成した隔壁電極６、表示面、および表示電極５を一体に覆って抵抗層７を形成する。抵抗層７の表面全体を覆って表面層８を形成する。表面層８は、抵抗層７よりも表面エネルギーや表面凹凸が帯電粒子９の吸着に適する材料で形成されている。【選択図】      図１
2007072349.tif 000002
【特許請求の範囲】
【請求項１】
表示単位ごとの表示面が設定された表示側基板と、
前記表示面を囲んで配置されて帯電粒子の移動空間を仕切る隔壁と、を備えた粒子移動型表示装置において、
前記表示面と前記隔壁の起立面とを覆って前記移動空間の界面に配置された表面制御層を有し、
前記表面制御層は、表面エネルギーと表面電位と表面凹凸とのうち少なくとも１つを下層とは異ならせて、前記界面における前記帯電粒子の拘束性能を高めてあることを特徴とする粒子移動型表示装置。
【請求項２】
前記表示面を覆う抵抗層が前記下層として配置されることを特徴とする請求項１記載の粒子移動型表示装置。
【請求項３】
前記表示面の平面中央に配置された表示電極を有し、
前記抵抗層は、前記表示電極と前記表示面とを一体に覆って配置されることを特徴とする請求項２記載の粒子移動型表示装置。
【請求項４】
前記表示面の下方に配置された前記表示単位ごとの表示電極と、
前記表示電極の上に配置された絶縁性の表示面形成層と、を有し、
前記抵抗層は、前記表示電極に接続されて、前記表示面形成層を覆って配置されることを特徴とする請求項２記載の粒子移動型表示装置。
【請求項５】
前記表示面の中央部に配置されたコンタクトホールによって前記抵抗層と前記表示電極とが接続していることを特徴とする請求項４記載の粒子移動型表示装置。
【請求項６】
前記表示面形成層は、隣接する複数の前記表示面で吸収波長特性を異ならせた着色層として形成され、
前記複数の前記表示面によって１つの画素をカラー表示することを特徴とする請求項５記載の粒子移動型表示装置。
【請求項７】
前記起立面に形成された電極面と前記表示電極とに接続して前記抵抗層が配置され、
前記電極面と前記表示電極との間に電圧信号を印加すると、前記表示面の前記抵抗層に電位勾配が生じることを特徴とする請求項３乃至６いずれか１項記載の粒子移動型表示装置。
【請求項８】
前記起立面に形成された電極面と前記表示面の前記抵抗層とが電気的に分離されていることを特徴とする請求項３乃至６いずれか１項記載の粒子移動型表示装置。
【請求項９】
前記抵抗層と前記表面制御層とは連続膜により形成されていることを特徴とする請求項２乃至８いずれか１項記載の粒子移動型表示装置。
【請求項１０】
複数の書き込み信号線と、
前記書き込み信号線に立体交差させた複数の走査信号線と、
前記書き込み信号線と前記走査信号線との交差位置に対応して配置した前記表示単位ごとの取り込みトランジスタ素子と、を有し、
前記走査信号線の電圧が変化したタイミングで、前記書き込み信号線から、前記取り込みトランジスタ素子を通じて、前記表示電極に供給する書き込み電圧を取り込むことを特徴とする請求項３乃至９いずれか１項記載の粒子移動型表示装置。
【請求項１１】
前記書き込み電圧よりも絶対値の大きな電源電圧を前記表示単位に供給する電源手段と、
前記電源電圧から形成した制御電圧を前記表示電極に供給する制御トランジスタ素子と、
取り込んだ前記書き込み電圧を保持して前記制御トランジスタ素子を制御することにより、少なくとも前記書き込み電圧の取り込み間隔における前記制御電圧を維持させる維持回路と、を有することを特徴とする請求項１０記載の粒子移動型表示装置。
【請求項１２】
前記電源手段は、前記制御電圧を維持させる期間の終了後に、前記電源電圧とは正負の異なるリセット電圧を前記表示単位に供給することを特徴とする請求項１１記載の粒子移動型表示装置。
【請求項１３】
表示面を囲む隔壁を備えた粒子移動型表示装置の製造方法において、
前記隔壁の表面と前記表示面とを一体に覆う抵抗層を形成した後に、
前記抵抗層に重ねて表面エネルギーと表面電位と表面凹凸とのうち少なくとも１つを前記抵抗層とは異ならせて、界面における帯電粒子の拘束性能を高めることを特徴とする粒子移動型表示装置の製造方法。
【請求項１４】
絶縁性の表示面形成層下に配置された表示電極と隔壁電極とが抵抗層によって接続された粒子移動型表示装置の駆動方法において、
前記表示電極と前記隔壁電極との間に印加された電圧を解除する立ち下げ時間は、前記表示電極と前記隔壁電極との間に印加する電圧の立ち上げ時間よりも長いことを特徴とする粒子移動型表示装置の駆動方法
【請求項１５】
表示電極と隔壁電極とが抵抗層によって接続された粒子移動型表示装置の駆動方法において、
共通の電源線に供給された電源電圧から制御電圧を形成して前記表示電極に供給する制御トランジスタ素子を前記表示電極ごとに設け、
前記電源線に前記電源電圧とは正負が異なるリセット電圧を供給して表示状態をリセットした後に、前記電源線に前記電源電圧を供給して、制御トランジスタ素子による前記制御電圧を前記表示電極に印加することを特徴とする粒子移動型表示装置の駆動方法。
【請求項１６】
所定の取り込み間隔で取り込んだ書き込み電圧を保持して前記制御トランジスタ素子を制御する維持回路を設け、
前記電源線に前記リセット電圧が供給されるまで、前記維持回路によって前記表示電極の前記制御電圧を維持させることを特徴とする請求項１５記載の粒子移動型表示装置の駆動方法。
【発明の詳細な説明】
【技術分野】
【０００１】
本発明は、電気泳動表示装置、トナーディスプレイ等、表示単位ごとの表示面と表示面を囲む隔壁の起立面との間で有色の帯電粒子を移動させて表示単位ごとの透過光量および／もしくは反射光量を変化させる粒子移動型表示装置、詳しくは帯電粒子の移動空間の界面構造に関する。
【背景技術】
【０００２】
非発光型の表示デバイスとして、帯電粒子を電界の作用にて移動させて表示を行う粒子移動型表示装置が知られている。粒子移動型表示装置は、帯電粒子の移動空間に臨ませて配置した一対の電極間で帯電粒子を移動させることにより画素表示を行う画像表示装置である。粒子移動型表示装置は、光源光を５０％以上損なわせる偏光板が不要、有色帯電粒子による高コントラストな画素表示が可能、構造および動作が単純等、従来一般的な液晶表示装置に比べて多くの利点を有している。粒子移動型表示装置は、電界解除後もしばらく画素表示を維持でき、画素の階調表示の維持に電力を必要としない表示メモリ性が可能なので、低消費電力の画像表示装置として注目されている。
【０００３】
特許文献１には、表示単位ごとの表示面に面状の表示電極、表示面を囲む隔壁の起立面に隔壁電極をそれぞれ設けた電気泳動表示装置が示され、表示電極と隔壁電極との間に設定する電位極性によって、表示面と起立面との間で帯電粒子を移動させている。ここでは、表示面を白色に着色して、黒色の帯電粒子を用い、表示面に帯電粒子を集めると、画素が黒色表示される一方、起立面に帯電粒子を集めると、表示面が露出して画素が白色表示される。
【０００４】
特許文献２には、表示側基板上に、複数の書き込み信号線と複数の走査信号線とを立体交差させて配置し、書き込み信号線と走査信号線との交差位置に対応して表示単位ごとのスイッチング素子を配置した電気泳動表示装置が示される。そして、すべての画素を一括して表示リセットした後に、複数の書き込み信号線に個別の書き込み信号を印加しつつ、該当する走査信号線に走査信号を供給することにより、１走査線づつ表示画面に画像を出力して画像表示を形成している。
【０００５】
【特許文献１】特開平９−２１１４９９号公報
【特許文献２】特開２００４−１６３５９６号公報
【発明の開示】
【発明が解決しようとする課題】
【０００６】
特許文献１に示される電気泳動表示装置では、金属薄膜の表示電極が移動空間の界面に露出しているので、帯電粒子に対する拘束力が強く、帯電粒子が表示電極に固着してしまうため、表示状態の書き換えが行えなくなる。
【０００７】
また、露出した金属面は、電子交換を起こし易いので、表示電極に電圧信号が印加された際や解除された際に、帯電粒子の移動空間を満たす絶縁性液体が変質したり、表示電極に接触した帯電粒子が電極面と原子交換、電子交換を起こして表示品質が劣化したりする可能性がある。
【０００８】
そこで、表示電極を絶縁層で覆って、金属面を絶縁性液体から隔離することが提案されたが、今度は、表示電極への電圧信号の印加と解除を繰り返すうちに絶縁層の表面や界面の絶縁性液体に残留電荷を生じてしまい、残留電荷が帯電粒子の挙動を乱して同じ電圧信号に対する階調表現をばらつかせる、いわゆる焼き付き現象を引き起すことが判明した。この残留電荷は、電極面に拘束されるべき帯電粒子を拡散させて、画素表示のメモリ性を損なわせる場合もある。
【０００９】
また、隣接する複数の表示面にそれぞれ異なる波長吸収特性のカラーフィルタ層を配置して、複数の表示単位の階調バランスにより１つの画素のフルカラー表示を行わせる場合、厚い絶縁層のカラーフィルタ層には残留電荷が発生し易く、残留電荷のレベルも大きいため、焼き付き現象やメモリ性の喪失によって大きな画像劣化を引き起す。
【００１０】
そこで、本願出願人は、近年、表示電極の表面と隔壁電極の表面とを一体に抵抗層で覆って、絶縁層や移動空間に発生した残留電荷を速やか表示電極や隔壁電極に逃がすようにした界面構造を提案した。限られた範囲のシート抵抗値の抵抗層を配置することによって、帯電粒子や絶縁性液体の経時変化を排除しつつ残留電荷を実用的な時定数で解消できることが判明したからである。
【００１１】
しかし、抵抗性を優先して薄膜層の材料を選択すると、多くの場合、画像表示のメモリ性を確保するために必要な表面エネルギーと表面電位と表面凹凸とを最適には確保できない。界面層として必要な長期安定性、帯電粒子の集合離散を安定して繰り返せる性質を確保することも容易ではない。そして、画像表示のメモリ性を最適に発揮できる材料は、必要な範囲のシート抵抗を確保できないので、最適な抵抗層を実現できない。
【００１２】
本発明は、抵抗層等、従来、帯電粒子の移動空間に露出していた層の必要な性質、本質的な機能を損なわせることなく、画像表示のメモリ性を改善できる粒子移動型表示装置を提供することを目的としている。
【課題を解決するための手段】
【００１３】
本発明の粒子移動型表示装置は、表示単位ごとの表示面が設定された表示側基板と、前記表示面を囲んで配置されて帯電粒子の移動空間を仕切る隔壁とを備えた粒子移動型表示装置において、前記表示面と前記隔壁の起立面とを覆って前記移動空間の界面に配置された表面制御層を有し、前記表面制御層は、表面エネルギーと表面電位と表面凹凸とのうち少なくとも１つを下層とは異ならせて、前記界面における前記帯電粒子の拘束性能を高めてあるものである。
【発明の効果】
【００１４】
本発明の粒子移動型表示装置では、抵抗層、電極面、絶縁層、カラーフィルタ層と言った必要な光学的性質や本質的な機能は下層に委ねて、画素表示のメモリ性を高める性質を含む界面層として必要な機能だけを専ら表面制御層に担わせるので、下層に負担させる性質や機能を無視して、画素表示のメモリ性を高める性質を最優先した材料選択、成膜方法、膜厚等を選択して、表面制御層を設けない場合よりも、画素表示の焼き付きし難さやメモリ性を改善できる。
【００１５】
表面制御層は、下層とは別材料の積層、塗布、下層と同一材料で添加物を異ならせた積層、下層と同一材料で成膜条件を異ならせた積層、形成された下層の表面に対する後処理等によって、下層に重ねて形成できる。
【発明を実施するための最良の形態】
【００１６】
以下、それぞれ本発明の一実施形態である反射型の電気泳動表示装置１００〜３００について、図面を参照しながら詳細に説明する。電気泳動表示装置１００〜３００は、バックライトを持たない反射型であるが、本発明は、後方基板１に隣接させてバックライトを設けた透過型装置として実施してもよい。また、電気泳動表示装置１００〜３００は、画素ごとに形成したスイッチング素子を、格子状に配列した多数のデータ線と多数のトリガー線とによりダイナミック制御するアクティブマトリクス型であるが、本発明は、アクティブマトリクス型以外の画素駆動方式を採用してもよい。
【００１７】
電気泳動表示装置１００〜３００は、無数の画素を格子状に配列した画像表示装置であるが、図１〜図９では、１つの画素（単位表示）により代表して図示している。また、特許文献１に示される表示装置の一般的な構造、一般的な製造方法、表面処理等については、本発明の趣旨と隔たりがあるので、煩雑を避けるべく、一部図示を省略して詳細な説明も省略する。
【００１８】
また、本発明の粒子移動型表示装置は、一対の基板間に、帯電粒子が介在する場合と、絶縁性液体に分散した帯電粒子が介在する場合との両方で実施可能であるが、これらの実施形態の本質は同じものであることから、以下では後者の電気泳動表示装置の代表的な実施の形態について説明する。
【００１９】
＜第１実施形態＞
図１は第１実施形態の電気泳動表示装置における断面構成の説明図、図２は第１実施形態の電気泳動表示装置における平面構成の説明図、図３は表示単位が長方形の場合の平面構成の説明図、図４は隔壁電極が表示面形成体上に直接配置された場合の断面構成の説明図、図５は電気泳動表示装置の表示単位の駆動回路の説明図、図６は電気泳動表示装置の駆動回路のブロック図、図７は電気泳動表示装置の１表示単位の駆動波形の説明図である。図１中、（ａ）は黒表示、（ｂ）は白表示である。図３中、（ａ）は表示電極が線状の場合、（ｂ）は表示電極が複数の場合である。図７中、（ａ）は表示電極電位、（ｂ）は点Ａにおける抵抗層電位、（ｃ）は光学応答である。
【００２０】
図１に示すように、第１実施形態の電気泳動表示装置１００は、後方基板１と前方基板２との間に隔壁３を配置して、後方基板１と前方基板２を所望の一定間隔に保ちつつ、１つの表示単位４５を、隣接する表示単位から隔てている。隔壁３によって仕切られた表示面形成体４上の移動空間２０には、帯電粒子９を分散させた絶縁性液体１０が充填されている。
【００２１】
図１に示すように、後方基板１上には、表示面形成体４が配置され、表示面形成体４上の表示面中央に表示電極５が配置される。図２に示すように、表示電極５は、隔壁３によって仕切られた表示単位４５の平面中央に、表示面の約１％の面積を占めて形成されている。
【００２２】
表示面形成体４の上には、隔壁３の立体構造が配置され、隔壁３の起立面には、隔壁電極６が形成されている。隔壁電極６は、隔壁３を覆うように構成されている。表示電極５と表示面形成体４と隔壁電極６とを一体に覆うように、抵抗層７と表面制御層８とが積層構成されている。表面制御層８は、帯電粒子９とは逆極性の表面電位を有しており、帯電粒子９との引力を強くし、表示メモリ性を高めている。
【００２３】
第１実施形態の電気泳動表示装置１００では、図２に示すように、表示単位４５は正方形であり、画素ピッチは５０μｍ、表示電極５は５μｍ×５μｍの正方形である。抵抗層７のシート抵抗は、１０１２Ω／□に調整され、抵抗層７の膜厚は、１００ｎｍである。
【００２４】
帯電粒子９は、黒色に着色されており、プラス帯電である。一方、表示面形成体４は、白色散乱層である。従って、隔壁電極６と表示電極５との間に印加される電圧信号の電位極性に応じて、帯電粒子９が隔壁３と表示面（表示面形成体４の表面）との間で移動する。そして、図１の（ａ）に示すように、帯電粒子９で表示面形成体４を覆わせることにより黒表示、また、図１の（ｂ）に示すように帯電粒子９を隔壁３に集めて表示面形成体４を露出させることにより白表示が行われる。また、電圧信号の電圧、パルス数、印加時間の少なくとも１つを制御して、表示面形成体４を覆う帯電粒子９の量と分布を中間状態に導くことにより、中間階調（グレー）を表示できる。
【００２５】
図５に示すように、後方基板１上には、格子状に立体交差して配置した書き込み信号線４８および走査信号線４７が配置され、書き込み信号線４８と走査信号線４７との各交点に対応させて、表示単位４５ごとの薄膜トランジスタ素子である画素ＴＦＴ４６（Ｔｈｉｎ  Ｆｉｌｍ  Ｔｒａｎｓｉｓｔｏｒ）が配置されている。
【００２６】
画素ＴＦＴ４６は、ｎ型トランジスタで構成されたアクティブマトリクス駆動表示用のスイッチング素子であって、後方基板１上に形成された不図示の層間絶縁層によって覆われている。表示電極５は、表示面形成体４（図１）および層間絶縁層を貫通して形成された不図示のコンタクトホールによって、画素ＴＦＴ４６のドレイン電極に接続されている。ドレイン電極には、補助容量としてのコンデンサ５０が補助容量線５１との間に形成されており、全画素の補助容量は、電圧Ｖｃｓの補助容量線５１に接続される。
【００２７】
また、走査ラインである走査信号線４７は、画素ＴＦＴ４６のゲート電極に、データラインである書き込み信号線４８は、画素ＴＦＴ４６のソース電極にそれぞれ接続される。表示単位４５の隔壁電極６は、全画素共通に接続され、電圧Ｖｃｏｍである共通電極４９に接続されている。
【００２８】
図６に示すように、後方基板１における表示単位４５を格子状に配列した表示部の外側には、パネルコントローラ４１、ソースドライバ４３、ゲートドライバ４２が配置されている。パネルコントローラ４１は、入力される画像データに基づいて、フィールド同期信号、水平同期信号、データ取り込みクロックなどの制御信号、および表示データを生成し、ソースドライバ４３、ゲートドライバ４２に転送する。
【００２９】
ソースドライバ４３は、書き込み信号線４８を通じて表示単位４５に信号電圧を供給する。ゲートドライバ４２は、走査信号線４７を通じて表示単位４５に走査信号を供給する。ソースドライバ４３、ゲートドライバ４２は、パネルコントローラ４１より受信した制御信号、表示データに従って、表示部４４の表示単位４５に１走査線づつの画像表示を行う。
【００３０】
第１実施形態の電気泳動表示装置１００の動作について説明する。以下では、理解を容易にするため、走査信号線４７をＯＮに固定して表示電極５に信号電圧を印加し続けた場合について説明する。隔壁電極６の電位は固定の０Ｖとする。また、帯電粒子９がプラス帯電している場合を例に説明するが、マイナス帯電している場合でも、帯電粒子９の泳動方向が電界に対して反対になることを考慮すれば、同様に説明することができる。
【００３１】
図１の（ａ）に示すように、表示電極５と表示面形成体４と隔壁電極６を一体に覆うように抵抗層７を形成しているので、抵抗層７は、表示電極５と隔壁電極６とを電気的に接続している。表示電極５に負の電圧信号が印加されると、表示面形成体４上の抵抗層７には、表示電極５を底として隔壁３に向かって高くなる表面電位勾配が生じる。この電位勾配によって、表示面形成体４上の帯電粒子９は、表示電極５へ向かって加速され放射状に移動する。表示面形成体４を帯電粒子９で覆わせた状態で表示電極５に正の電圧信号を印加すると、今度は、逆に、帯電粒子９は中心から外側へ向かって加速され、隔壁３へ向かって速やかに移動する。
【００３２】
これに対して、表示面形成体４を覆う抵抗層７が隔壁電極６と絶縁されている場合（または、表示面を覆って隔壁電極６と絶縁された金属電極の場合）、電極面が一様な負電位となって、表面の電位勾配は形成されず、表示電極５に負の電圧信号を印加した際には、帯電粒子９は表示面形成体４上に押し付けられるだけで、表示面の中央へ向かって加速されず、帯電粒子９の放射状の移動は起きない。
【００３３】
従って、第１実施形態の電気泳動表示装置１００では、隔壁電極６と表示電極とを抵抗層７が接続する構成によって、表示面形成体４上の帯電粒子９を効率的に移動させて階調設定の応答速度が高められている。
【００３４】
図７の（ａ）に示すように、時刻ｔ１から時刻ｔ２の期間はリセット期間、時刻ｔ２から時刻ｔ３の期間は書き込み期間に相当する。リセット期間では、帯電粒子９を表示面に集めて図１の（ａ）に示す黒表示とするために、負のリセット電圧Ｖｒを印加する。このとき、図１の（ｂ）に示す点Ａにおける抵抗層７の電位は、抵抗分圧により表示電極５（Ｖｒ）と隔壁電極６（０Ｖ）との中間の電位となる。
【００３５】
その後、書き込み期間に移ると、表示電極５に正の書き込み電圧Ｖｗが印加され、表示面形成体４上の帯電粒子９が隔壁３へ向かって移動して、表示面形成体４が徐々に露出して、図７の（ｃ）に示すように、反射光量が増大する。このとき、図７の（ｂ）に示すように、抵抗層７の電位も変化し、抵抗分圧により表示電極５の電位よりも低い電位となる。
【００３６】
書き込み終了後、表示電極５の電位を０Ｖにして、表示状態維持期間へ移行する。ここで、表示電極５上の抵抗層７の法線方向の抵抗、及び、隔壁電極６上の抵抗層７の法線方向の抵抗を表示電極５と隔壁電極６の間の電気泳動液の抵抗よりも十分に低くしておけば、残留電荷は大きく発生しないので、０Ｖに落とした直後、逆方向の電場は発生せず、表示状態は損なわれない。
【００３７】
＜構成要素の説明＞
以下、第１実施形態の電気泳動表示装置１００の構成要素について、個別に説明する。観察面となる前方基板２は、可視光の透過率の高い材料で構成されている。例えば、ポリエチレンテレフタレート（ＰＥＴ）、ポリエーテルサルフォン（ＰＥＳ）、ポリイミド（ＰＩ）、ポリエチレンナフタレート（ＰＥＮ）、ポリカーボネート（ＰＣ）等のポリマーフィルム或いはガラス、石英等の無機材料を使用することができる。後方基板１は必ずしも透明である必要はなく、上記材料に加え、ＳＵＳ、アルミニウム、チタン等の金属基板やフィルム基板を使用することができる。
【００３８】
隔壁３には、無機あるいは有機材料を使用することができ、ＳｉＯ２、アクリル樹脂、エポキシ樹脂、ノルボルネン樹脂、弗素系樹脂などが挙げられる。隔壁３を導電性材料で成形することも可能である。隔壁３を導電性材料で形成した場合には、隔壁３それ自体が隔壁電極６として機能するので、隔壁３の立体構造を形成した後に隔壁電極６を形成する工程を省略できる。また、表示単位４５間での電界干渉を抑制する効果が向上し、隔壁３内での残留電荷発生も小さくすることが可能となる。
【００３９】
導電性材料としては、ポリシラン、ポリシロキサン、ポリアセチレンなどの有機物、あるいはそれらの複合体、共重合体カーボン含有膜、ＩＴＯ、ＡＺＯ、ＳｎＯ２、ＺｎＯなどの無機膜、またはシリコンなどの半導体膜、または導電性のフィラー（充填物）、例えば、ＩＴＯ、ＡＴＯ、Ｐｂ２Ｏ５などの導電性微粒子、ポリチオフェン系導電性ポリマーなどの導電性高分子、イオン導電性物質などをエポキシ樹脂、ポリプロピレン樹脂などに配合してでききる導電性膜を使用できる。
【００４０】
隔壁３を形成する方法としては、感光性樹脂への露光／エッチング、印刷積層法、厚膜印刷法、モールド法、インクジェット法、転写法、等が挙げられるが、必要な立体構造と性質とを満たす隔壁３を形成できる手法であればとくに限定されない。
【００４１】
表示面形成体４は、絶縁性の透明な材料、あるいは所望の色で着色された材料を用いて形成される。表示電極５と隔壁電極６との絶縁が得られれば、抵抗率、膜厚は特に限定されないが、膜厚は０．１μｍ〜５μｍで形成する。表示面形成体４は、帯電粒子９と異なる透過率、あるいは異なる着色とすることにより、帯電粒子９が表示面に一様に広がった時（図１の（ａ））と、帯電粒子９が隔壁３に移動した時（図１の（ｂ））とでコントラストを得ることができる。
【００４２】
表示面形成体４には、ポリイミド樹脂、ポリエステル樹脂、ポリアクリレート樹脂、ポリメタクリレート樹脂、ポリカーボネート樹脂、エポキシ樹脂、ノルボルネン樹脂、ウレタン樹脂、シリコン樹脂などのプラスチック材料、あるいはガラスなどを使用できる。また、これらに酸化チタン、酸化亜鉛、酸化アルミニウムなどの無機酸化物顔料、染料を混ぜ合わせて着色化、光散乱化させてもよい。
【００４３】
表示電極５と抵抗層７とは、画素セルである表示単位４５の平面中央にて接続されているが、その接続面積は、表示面の面積の９０％以下であれば、どのような形状でも良い。また、表示電極５の形状は正方形には限定されず、円形、星形等でもよい。図３の（ａ）に示すように、表示単位４５が長方形の場合、線状の表示電極５Ｌとして、隔壁３までの距離を等しくしてもよい。また、図３の（ｂ）に示すように表示電極５は複数配置されてもよい。複数の表示電極５は表示面の下方で共通に接続されている。
【００４４】
隔壁３は、その全表面が隔壁電極６の連続膜で覆われていることが好ましいが、隔壁電極６は、隔壁の一部を覆っていても良い。隔壁電極６は、図４に示すように、隔壁３と表示面形成体４との間に配置しても良い。この場合、隔壁３を覆う抵抗層７が、隔壁電極６の薄膜側面と電気的に接続されて、起立面の電極面を形成する。抵抗層７全体が隔壁電極６と等電位となり、隔壁３の全体が等電位面をもつ電極面となる。
【００４５】
ただし、抵抗層７が高抵抗の場合、電界漏れによる画素間干渉を抑制するために、隔壁３は導電性材料により構成されていることが好ましい。隔壁３が導電性材料で形成されて、電極として使用できる抵抗率である場合には、隔壁３が隔壁電極６を兼ねることができる。
【００４６】
表示電極５および隔壁電極６には、無機および有機導電性材料を用いることができる。各電極は、鍍金、蒸着、インクジェット法、スクリーン印刷法、などにより形成できる。電極材料としては、Ａｕ、Ａｇ、Ａｌ、Ｔｉ、ＴｉＣ、Ｃｕ、ＩＴＯ、ＡＴＯ、ＦＴＯ、ＡＺＯ、ＺｎＯや、その他導電膜材料として知られている金属、導電性窒化物、導電性ホウ化物、有機導電性材料などを用いることができる。
【００４７】
抵抗層７の材料は、抵抗性を有する光透過性の材料であれば特に限定されないが、シート抵抗は１０９Ω／□〜１０１４Ω／□、膜厚は１ｎｍ〜１μｍであることが望ましい。抵抗層７を介して表示電極５と隔壁電極６とが電気的に接続されていれば、抵抗層７の材料、形態、形成方法等は、特に限定されない。形成方法としては、真空蒸着法、分子線エピタキシー法、イオンプレーティング法、スパッタリング法、ＣＶＤ法、キャスト法、電界重合法、回転塗布法、などを選択できる。
【００４８】
抵抗層７には、ポリシラン、ポリシロキサン、ポリアセチレンなどの有機物、あるいはそれらの複合体、共重合体カーボン含有膜、ＩＴＯ、ＡＺＯ、ＳｎＯ２、ＺｎＯなどの無機膜、またはシリコンなどの半導体膜、または導電性のフィラー（充填物）、例えば、ＩＴＯ、ＡＴＯ、Ｐｂ２Ｏ５などの導電性微粒子、ポリチオフェン系導電性ポリマーなどの導電性高分子、イオン導電性物質などをエポキシ樹脂、アクリル樹脂、ウレタン樹脂、ポリプロピレン樹脂などに配合してでききる導電性膜を使用できる。
【００４９】
表面制御層８は、光透過性の材料で、膜厚は１００ｎｍ以下であることが望ましい。第１実施形態では、図１の（ａ）に示すように、表面制御層８は、抵抗層７の全てを覆うように形成されているが、抵抗層７の全面が表面制御層８に接して積層されている必要はない。少なくとも、抵抗層７よりも表示電極５および隔壁電極６から遠い位置に表面制御層８が成膜されている領域が存在することが必要である。後方基板１上に構成されるすべての構造物の最表面全体を覆うように表面制御層８が形成されていることが望ましいが、表面制御層８が形成されている領域が、この最表面の一部であっても構わない。
【００５０】
表面制御層８は、少なくとも、表面エネルギー、表面電位、表面凹凸の１つの物性値から規定され、帯電粒子９の駆動安定性、画像保持動作時における帯電粒子９の位置安定性を高めるように選択できる。たとえば、画像保持動作時の帯電粒子９の位置安定性を高めるために、帯電粒子９と表面制御層８の間により強い付着状態の安定を設定する場合には、帯電粒子９と表面制御層８の表面エネルギー値の差を大きく設定する、帯電粒子９と表面制御層８の表面電位を逆極性に設定する、泳動液に含まれる添加物が吸着し難い表面制御層８を選択する、表面制御層８の表面凹凸を大きくする、帯電粒子９の粒子径と同じ曲率を有する凹凸構造を設ける、などの手法を選択できる。
【００５１】
表面層の表面エネルギーは、接触角法等を用いて、表面電位は、ケルビンプローブ等を用いて、表面凹凸は、ＳＥＭ、ＴＥＭなどを用いて測定、管理できる。表面制御層８は、所望の表面層特性が得られれば、表示単位４５を構成する他の構成要素と兼用することが可能である。例えば、隔壁３、隔壁電極６、抵抗層７で表面制御層８を兼用することができる。
【００５２】
表面制御層８に用いる材料は、表面エネルギー、表面電位、表面凹凸の所望の値を有するものであれば特に限定されないが、有機および無機材料の蒸着膜、スパッタ膜、電着膜、ＬＢ膜、ＳＡＭ膜、吸着膜、スプレー膜などを用いることができる。また、所望の特性を得るために、プラズマ処理、コロナ放電、スパッタエッチング処理、イオンビーム、薬品処理、溶剤処理、カップリング剤処理界面活性剤処理、蒸気処理、表面グラフト化、などの表面改質手法を用いることができる。
【００５３】
帯電粒子９は、表示面形成体４と異なる透過率、あるいは異なる着色である。帯電粒子９の平均粒径は、特に限定されないが、０．１μｍ以上１０μｍ以下、更には０．１μｍ以上３μｍの範囲であることが好ましい。何故なら、０．１μｍ未満であるとハンドリング性が低下し、３μｍを超えると表示の解像度が低下するからである。帯電粒子９の平均粒径は、必要に応じて乾式分級、湿式分級等の公知の方法で、上記の範囲内に制御することができる。
【００５４】
絶縁性液体１０に分散させる帯電粒子９の濃度は、特に限定されないが、０．１ｗｔ％以上３０ｗｔ％以下であることが好ましい。帯電粒子９は、透過率あるいは着色の異なる２種類以上を混ぜて使用してもよいが、この場合、絶縁性液体１０における帯電粒子９の濃度は、０．１ｗｔ％以上５０ｗｔ％以下であることが好ましい。
【００５５】
帯電粒子９は、無機粒子、高分子樹脂粒子あるいはこれらの複合粒子のいずれにも限定されない。帯電粒子９が無機粒子である場合、二酸化チタン、黒鉛、カーボンブラック、シリカ、アルミナなどを用いることができる。これらの無機粒子は、造粒法、粉砕法、ゾルゲル法から得られたものを分級することにより、第１実施形態の帯電粒子９として用いることができるが、その製法は、上記方法に限定されない。
【００５６】
また、帯電粒子９が高分子樹脂粒子の場合、懸濁重合法、分散重合法、シード重合、あるいは乳化重合法などの公知の方法から得ることができるが、その製法は、これらの方法に限定されない。帯電粒子９が複合粒子である場合、使用する高分子重合体は、特に限定されないが、例えば、ポリスチレン、ポリエチレン、ポリエステル、ポリメタクリレート、ポリアクリルレート、ポリアクリル酸エステル、ポリエチレン−アクリル酸共重合体、ポリエチレン−メタクリル酸共重合体、ポリエチレン−酢酸ビニル共重合体等のポリエチレン系樹脂その他ポリ塩化ビニル樹脂、ニトロセルロース、フェノール樹脂、ポリアミド樹脂等の高分子材料が挙げられる。これらの材料は、単独あるいは２種類以上を併用してもよい。
【００５７】
また、第１実施形態における帯電粒子９としては、市販の粒子を用いることができる。例えば、ミクロパール（積水化学工業（株）製）、ナトコスペーサー粒子（ナトコ（株）製）、エポカラー粒子（日本触媒化学工業（株）製）、ケミスノー（総研化学（株）製）、トスパール（ＧＥ東芝シリコーン（株）製）、テクポリマー（積水化成品工業）等が挙げられるが、特に限定されるものではない。
【００５８】
また、帯電粒子９に所望の表面特性を付与する為に、帯電粒子９の表面を被覆することができる。具体的には、核となる粒子に対して、高分子重合体のモノマーをシード重合させる方法、グラフト重合させる方法、カップリング剤によるカップリング基を介して粒子表面を高分子重合体で被覆する方法、あるいは高分子重合体を溶媒に溶解させた溶液で帯電粒子表面を被覆し溶媒を除去する方法、帯電粒子表面をプラズマ処理する方法等が挙げられる。
【００５９】
帯電粒子９は、使用する電気泳動表示装置の表示方法に合わせて着色することができる。着色剤としては特に限定されないが、例えば、カーボンブラック、酸化チタン、等の顔料、Ｏｒｉｅｎｔ  Ｏｉｌ  Ｂｌａｃｋ〔オリエント化学社製〕等の染料が挙げられる。カーボンブラック、酸化チタン等、単独で帯電粒子９として使用できる顔料を着色しないで使用してもよい。
【００６０】
複数の顔料粒子、染料に高分子重合体を組み合わせた複合粒子を作製する方法としては、高分子重合体の重合過程（モノマー仕込み時を含む）で、顔料粒子や染料を添加して乳化重合、分散重合、懸濁重合、あるいはシード重合を行う方法がある。その他、高分子重合体の粒子自体を染料で染色する方法、顔料粒子を高分子重合体と溶融混練し粉砕する方法、高分子重合体を溶媒に溶解させた溶液に顔料粒子あるいは染料を添加し、その後溶媒を除去、溶液の温度を下げる、あるいは貧溶媒を使用した再沈殿を行って複合粒子を析出・造粒する方法等を利用できる。
【００６１】
複合粒子を構成する高分子重合体や染料は、溶剤に対する不溶化を目的として、架橋処理や固定化処理を施してもよい。複合粒子の必要な着色度合いに応じて、顔料粒子と染料を混合して使用することができる。
【００６２】
絶縁性液体１０の材料は、特に限定されないが、無色の光透過性の高い材料が望ましい。絶縁性液体１０には、帯電粒子９の分散媒となる絶縁性液体１０に所望の特性を得るために、各種の添加物を加えることができる。帯電粒子９に帯電を付与する、あるいは帯電を高めるための帯電制御剤、帯電粒子９の帯電を安定させるための帯電安定剤、帯電粒子９の分散性を高めるための分散安定剤、帯電粒子９の内壁面への固着を防止するための付着防止剤を少なくとも１種類添加しても良い。
【００６３】
絶縁性液体１０の粘度は、０．１ｃｐ以上３０ｃｐ以下であることが好ましい。絶縁性液体１０として、例えば、ベンゼン、トルエン、キシレン、ナフテン酸系炭化水素などの芳香族炭化水素系溶剤、ヘキサン、シクロヘキサン、ケロシン、パラフィン系炭化水素溶媒、イソパラフィン系炭化水素等の脂肪族炭化水素系溶媒、ハロゲン化炭化水素系溶媒、あるいはシリコンオイル、高純度石油、フルオロエチレン、オクタフルオロシクロペンタン、ハイドロフルオロエーテルなどのフッ素系溶剤等の各種溶剤が挙げられる。これらの溶剤は、単一種で使用することも、複数種を混合させて使用することもできる。
【００６４】
帯電制御剤は、溶剤に可溶であれば特に限定されないが、例えば、カルボン酸塩、スルホン酸塩、硫酸エステル塩、リン酸エステル塩等の陰イオン界面活性剤、脂肪族アミン塩およびその４級アンモニウム塩、芳香族４級アンモニウム塩、複素環４級アンモニウム縁などの陽イオン界面活性剤、カルボキシベタイン、スルホベタイン、アミノカルボン酸塩、イミダゾリン誘導体などの両性界面活性剤、エーテル型、エーテルエステル型、エステル型、含窒素型の非イオン性界面活性剤、金属石鹸、弗素系界面活性剤、反応性界面活性剤、ブロック型ポリマー、グラフト型ポリマーなどが挙げられる。これらは単独で使用しても良く、２種類以上を混合して使用しても良い。
【００６５】
帯電安定剤として使用するロジンエステルまたはロジン誘導体としては、溶剤に可溶であるならば特に限定されないが、たとえばガムロジン、ウッドロジン、トール油ロジン、ロジン変性マレイン酸、ロジン変性ペンタエリスリトール、ロジングリセリンエステル、マレイン酸変性ロジンエステル、フマル酸変性ロジンエステル、アクリル酸変性ロジンエステル、等が挙げられる。
【００６６】
具体的には、例えばネオトール（ハリマ化成）、ペンセル、エステルガム、スーパーエステル（いずれも荒川化学工業）が挙げられる。溶剤中にロジンエステルまたはロジン誘導体が含有されない場合には、帯電粒子の帯電が安定せず、帯電極性が逆転したり、粒子が電気泳動しなくなったりする場合がある。ロジンエステルまたはロジン誘導体は、溶剤１００質量部に対して、０．０１質量部以上５質量部以下、好ましくは０．０５質量部以上３質量部以下の範囲で含有することができる。
【００６７】
分散安定剤および付着抑制剤は、溶剤に相溶性のあるものであれば得に限定されない。例えば、ポリアクリルアミド、ポリビニルアルコール、ポリエチレン、ポリスチレン、ポリブタジエン、ポリジメチルシロキサン、ポリプロピレン、ポリメタクリル酸メチル、ポリテトラフルオロエチレン、ポリ塩化ビニル、ポリイソプレン、ポリブテン、スチレンブタジエン共重合体、スチレンイソプレン共重合体、スチレン無水マレイン酸共重合体、弗素高分子、ノルボルネン樹脂、ポリエチレンワックスを利用できる。
【００６８】
また、各種鹸化度および分子量のポリビニルアルコールやポリビニルピロリドンなどの高分子、界面活性剤、パーフルオロアルキル基含有オリゴマー等の弗素系界面活性剤等も利用可能である。中でも、スチレンブタジエン共重合体が好ましく、市販の材料としては、Ｅ−ＳＢＲ、Ｓ−ＳＢＲ（ＪＳＲ（株）製）、ＮＩＰＯＬ  １５０２，ＮＩＰＯＬ  １７１２、ＮＩＰＯＬ  ＮＳ１１２，ＮＩＰＯＬ  ＮＳ１１６、ＮＩＰＯＬ  １００６，ＮＩＰＯＬ  １００９（日本ゼオン（株）製）、タフデン、タフプレン、アサプレン（旭化成社製）、住友ＳＢＲ（住友化学（株）製）等を利用できる。これらの成分は、単独または２種類以上を上記溶剤に混合して用いることができる。
【００６９】
＜第２実施形態＞
図８は第２実施形態の電気泳動表示装置における断面構成の説明図、図９は隔壁電極が表示面形成体上に直接配置された場合の断面構成の説明図、図１０は第２実施形態における１つの表示単位の駆動波形の説明図である。図１０中、（ａ）は表示電極電位、（ｂ）は点Ａにおける抵抗層電位、（ｃ）は光学応答である。
【００７０】
第２実施形態の電気泳動表示装置２００は、表示面形成体４がカラーフィルタ層で構成され、抵抗層７が隔壁３の下に配置される以外は、第１実施形態の電気泳動表示装置１００と同様に構成されている。従って、図８、図９中、図１と共通する構成部材には共通の符号を付して詳細な説明を省略する。
【００７１】
図８に示すように、表示単位４５ごとの表示電極５は、表示単位４５とほぼ同じ面積を有して後方基板１上に配置され、表面が白色化されて反射面を兼ねている。表示電極５の上に形成された表示面形成体４は、隣接する３つの表示単位４５で異なる色で塗り分けられている。表示面形成体（着色層）４は、それぞれ赤色（Ｒ）、緑色（Ｇ）、青色（Ｂ）の顔料を分散して着色した絶縁性材料のカラーフィルタ層４ａ、４ｂ、４ｃから構成されている。第２実施形態の電気泳動表示装置２００は、隣接する３つの表示単位４５の階調をそれぞれ設定して、１つの画素をフルカラー表示する。
【００７２】
抵抗層７は、表示面形成体４を形成した後方基板１を一様に覆って形成されており、表示電極５と隔壁３との間に位置している。抵抗層７は、第１実施形態と同様に、表示電極５と隔壁電極６とを電気的に接続しているので、表示電極５に電圧信号を印加すると、抵抗層７の内に均一な電位勾配が生じる。抵抗層７は、導電性のフィラ−を分散させたアクリル樹脂であり、シート抵抗は１０１２Ω／□、膜厚は２００ｎｍである。
【００７３】
コンタクトホール１１は、表示面中央部に形成されており、抵抗層７と表示電極５とがコンタクトホール１１により電気的に接続されている。表示電極５は、コンタクトホール１１形状と異なる形状、面積で形成されていても良い。コンタクトホール１１は、隔壁電極６から最も遠い場所、即ち、表示面中央部に形成することにより、表示面中央部と隔壁電極６との間の電位差が最も均一かつ大きくなる。これにより、黒表示時に表示面中央に向かう表示面に沿った方向の電界が大きく生じ、この結果、表示面中央に向かう帯電粒子９の泳動が速くなり、応答速度が向上する。
【００７４】
表面制御層８は、抵抗層７および隔壁電極６の全体を覆うように連続膜で形成されており、表面制御層８に帯電粒子９が安定に接触した状態を保つように、表面制御層８はシロキサン、帯電粒子９の表面はメタクリル樹脂により形成されており、表面制御層８と帯電粒子９の表面エネルギーに適度な差を設けてある。
【００７５】
傾向として、表面制御層８と帯電粒子９の表面エネルギーの差を大きくした方が、より帯電粒子９が表面制御層８に接触した状態が安定に保たれるが、表面エネルギーの差を大きく設定し過ぎる場合には、帯電粒子９の泳動の為の電圧を印加しても泳動せず、帯電粒子９の固着に繋がることもあり、適度な関係設定が重要になる。この点においても、表面制御層８を自由に設計できる点が有効となる。
【００７６】
帯電粒子９と表面制御層８の接触状態での安定性を増すために、帯電制御材としてカルボン酸塩、付着防止剤としてポリイソブチレンを添加している。第２実施形態では、隔壁３を形成する前の表面凹凸が小さい表示面形成体４上に抵抗層７を形成しているので、第１実施形態のように、隔壁３上に抵抗層７を形成する場合に比べ、より均質な抵抗層７を形成することができ、成膜条件に対する制限を小さくできる。従って、抵抗層７の形成には、第１実施形態で述べた各種成膜方法に加え、スリットコート法、スクリーン印刷、転写法、インクジェット法、ディスペンサ塗布法等のより低コストの方法を採用することも可能となる。
【００７７】
図９に示すように、隔壁電極６は、図７に示すように、抵抗層７と隔壁３との間に形成することも可能である。この時、隔壁３は、導電性材料で形成されていることが望ましい。その理由は、第１実施形態で説明したとおりである。
【００７８】
次に、本実施形態に係る電気泳動表示素子の動作について説明する。第２実施形態でも第１実施形態で説明したと同様に駆動回路が構成されており、リセット期間に続いて書き込み期間が設定され、その後、電圧オフ移行期間に移行して画素表示を保持する。
【００７９】
図１０の（ａ）に示すように、時刻ｔ１では、表示電極５に負のリセット電圧Ｖｒを印加して、帯電粒子９により表示面を覆わせる。負のリセット電圧Ｖｒの印加直後は、図８の点Ａにおける抵抗層７の電位は、抵抗層７−表示電極５間の容量と、表示面形成体４−表示電極５間の容量との比で分圧されることにより、ほぼ印加電圧と同じ電位になる。しかし、その後、抵抗層７の抵抗分圧による所定の電圧に落ち着く。この時定数は、抵抗層７の抵抗値及び、抵抗層７と表示電極５の間で形成される容量により調整可能である。
【００８０】
その後、時刻ｔ２で書き込み期間に移ると、表示電極５に正の書き込み電圧Ｖｗが印加される。このとき、図８の点Ａにおける抵抗層７の電位は、容量分圧により電圧Ｖｗ以上の電位になるが、リセット期間中と同様の時定数で抵抗分圧の所定の電圧に落ち着く。そして、図１０の（ｃ）に示すように、表示面が所定の階調レベルになった後、時刻ｔ３から電圧オフ移行期間に移る。
【００８１】
ここで、時刻ｔ３直後に、０Ｖにすると、抵抗層７−表示電極５間に溜まっている電荷により逆極性の電場が生じ、メモリ性を損なってしまう。そこで、表示電極５の電位を表示単位４５の時定数よりも長い時定数で徐々に０Ｖに変化するようにすれば、逆極性の電場の発生を抑えることができ、メモリ性を維持することが可能となる。
【００８２】
つまり、階調表示するための書き込み電圧Ｖｗを表示電極５に印加した後、表示面形成体４と抵抗層７の容量で決定される時定数よりも大きい時定数で０Ｖに変化させることにより、表示面形成体４に溜まる残留電荷の時定数よりも長い時定数で印加電圧を０Ｖに落として、移動空間２０に残留電荷を残さないことが可能になる。この結果、絶縁性液体１０に対して逆極性の電圧がかかるのが抑制され、帯電粒子９が逆方向へ移動することなく、良好なメモリ性を得ることが出来る。
【００８３】
＜走査を伴う表示単位の駆動＞
図１１は走査を伴う表示単位の駆動における駆動波形の説明図である。図１１中、（ａ）は走査信号、（ｂ）は書き込み信号、（ｃ）は表示電極電位、（ｄ）は光学応答である。
【００８４】
第２実施形態では、図１０を参照して、表示電極５に一定の書き込み電圧Ｖｗを印加し続ける場合を説明したが、図５、図６に示す駆動回路を用いた場合、複数の走査信号線４７に対して順番に走査信号を印加するので、実際には、走査の１周期中１回のごく短時間だけ表示電極５に書き込み電圧Ｖｗが供給される。
【００８５】
図５に示すように、走査信号線４７には定期的に走査信号が印加されて画素ＴＦＴ４６がＯＮする一方、書き込み信号線４８には走査信号と同期して表示単位４５ごとの固有の書き込み電圧Ｖｗが印加される。従って、図１１の（ａ）、（ｂ）に示すように、走査信号のタイミングで書き込み電圧Ｖｗが信号が表示電極５に供給された後は、次の走査信号まで書き込み電圧Ｖｗが補充されず、抵抗層７等を通じた漏れ電流によって表示電極５の電位は次第に低下する。
【００８６】
そして、図１１の（ｃ）に示すように、次第に低下する抵抗層７の電位が、表示面形成体４の表面を覆う帯電粒子９の分布状態を変化させ、図１１の（ｄ）に示すように、表示単位４５の階調が変化する。
【００８７】
図１１に示すように、駆動期間は、リセット期間、書き込み期間、電圧オフ移行期間の３つの期間で構成されている。なお、以下、各期間が２フィールドで構成される場合について説明するが、各期間のフィールド数が異なる場合や２フィールド以上で構成される場合でも同様の効果がある。隔壁電極６の電位は０Ｖとする。
【００８８】
リセット期間において、図１１の（ｂ）に示すように、走査信号に同期してリセット電圧Ｖｒ１が印加され、表示電極５に電圧Ｖｒ１が書き込まれると、この後のフィールド期間中は電圧が保持される。このとき、表示電極５と隔壁電極６とが抵抗層７を介して接続されているので、抵抗層７の抵抗値と補助容量５０で決定される時定数にて、表示電極５の電位が変化する。表示電極電位５の変化量は、抵抗層７のシート抵抗と補助容量５０とを調整することで、小さくすることができる。
【００８９】
ここで、図８の点Ａにおける抵抗層７の電位については、図１１の（ｃ）に破線で示すように、リセット直後、電位Ｖｒ１になり、その後、抵抗層７の抵抗分圧に落ち着くが、抵抗層７の抵抗分圧それ自体が表示電極５の電位変化に応じて次第に低下している。このようにして抵抗層７に形成される表面電位分布によって、隔壁３近傍の電界集中を緩和するとともに、帯電粒子９の移動に有効な放射方向の加速を実現できる。
【００９０】
リセット期間中の次のフィールドでは、再度、表示電極５に電圧Ｖｒ１が書き込まれる。このときの表示電極電位変化は小さいので、図８の点Ａにおける抵抗層７の電位変動も小さい。その後は、前のフィールドと同様に電位降下する。
【００９１】
次に、書き込み期間に移るときは、表示電極５に電圧Ｖｗ１が書き込まれ、その後、電圧が保持されて、帯電粒子９の移動により表示状態が黒から白へ変わる。このとき、図８の点Ａにおける抵抗層７の電位は、Ｖｒ１からＶｗ１の電位差とほぼ等しい量の電位変化を受けるため、瞬間的にＶｗ１よりも高くなるが、その後、抵抗層７の抵抗分圧に落ち着く。次のフィールドの電位変化については、リセット期間中の第２フィールドと同様である。
【００９２】
次に、電圧オフ移行期間では、第１フィールドで表示電極５に傾斜電圧Ｖｓ１が書き込まれ、第２フィールドで傾斜電圧Ｖｓ２が書き込まれる。図８の点Ａにおける抵抗層７の電位は抵抗層７の抵抗分圧で決定され、表示電極５の電位変化に応じて変化する。
【００９３】
ここで、書き込み期間終了の直後に電圧を０Ｖに変化させると、表示面形成体４に溜まった電荷により抵抗層７の電位が逆極性になり、逆方向の電場が発生して、帯電粒子９による表示面形成体４の被覆状態が変化して表示のメモリ性が阻害される。そこで、Ｖｗ１＞Ｖｓ１＞Ｖｓ２の関係を満たしながら次第に表示電極５の電位を低下させることにより、表示電極５の電位を０Ｖに減衰させるまでの時間を、抵抗層７の抵抗値と表示面形成体４の容量とで決定される時定数よりも長くしている。
【００９４】
具体的に言えば、表示面形成体４の膜厚を１μｍ、表示面形成体４の誘電率を３、画素サイズを５０μｍ×５０μｍとすると、抵抗層７と表示電極５とで挟まれた表示面形成体４の容量は、コンタクトホール部１１を除き、１画素あたり約０．１３ｐＦである。そして、隔壁電極６と表示電極５との間の抵抗が１０１２Ωとなるように抵抗層７を形成した場合、残留電荷が解消される時定数は約１３ｍｓｅｃとなる。従って、図１１に示すように２フィールド１００ｍｓの時間で表示電極５の電位を０Ｖに減衰させた場合には逆極性の電界は発生しない。
【００９５】
このように、表示電極５の電位を０Ｖに減衰させるまでの時間を、表示面形成体４の容量と抵抗層７の抵抗とで決定される時定数よりも長くすることにより、逆極性の電場が発生することなく、表示電極５の電位と抵抗層７の電位を０Ｖに落とすことができ、書き込み期間後の光学応答が変化しないようにすることができる。実使用上、表示の切り替え速度は１秒以下が望ましく、表示電極５の電位の減衰時間も１秒以下が望ましい。表示面形成体４と抵抗層７で決定される時定数が減衰時間を超えない範囲であれば、表示面形成体４の膜厚、誘電率、抵抗層７の抵抗はどのような値であっても良い。
【００９６】
つまり、以上説明した駆動方法によれば、逆方向の電場が発生することなく、隔壁３近傍の電界不均一性を改善することができるので、電気泳動表示パネルのメモリ性及びコントラスト、表示品位を格段に向上させることが可能となる。
【００９７】
＜第３実施形態＞
図１２は第３実施形態の電気泳動表示装置における断面構成の説明図、図１３は隔壁電極が絶縁層上に直接配置された場合の断面構成の説明図である。第３実施形態の電気泳動表示装置３００は、表示面形成体４上の抵抗層７が絶縁層１２によって表示単位４５ごとに分断されている以外は、第２実施形態の電気泳動表示装置２００と同様に構成されている。従って、図１１、図１２中、図８と共通する構成部材には共通の符号を付して詳細な説明を省略する。
【００９８】
図１２に示すように、抵抗層７は、表示単位４５ごとに絶縁層１２により区切られ、表示単位４５間で電気的に切断されている。また、抵抗層７は、各表示単位４５に、接続用材料１３が充填されたコンタクトホールを介して表示電極５に電気的に接続されている。
【００９９】
接続用材料１３には導電性の高い材料が採用されて、コンタクトホール１１による抵抗層７の表面段差を小さくしている。また、物理的な窪みを解消して帯電粒子９がコンタクトホール部の段差に引っかかる、貼り付くといった問題を解消している。接続用材料１３としては、抵抗層７の抵抗よりも低い材料が望ましく、Ａｌ、Ｔｉ等の金属や、ＩＴＯ、ＡＴＯ、導電性樹脂、などを用いることができる。
【０１００】
また、絶縁層１２の高さが抵抗層７より厚く、絶縁層１２の上に隔壁電極６を形成した隔壁３が配置されるので、表示面形成体（着色層）４上の抵抗層７は、隔壁電極６とは絶縁されている。従って、表示電極５に信号電圧を印加した際には、抵抗層７の電位は、全体が一様に表示電極５の電位と同じになり、各表示単位４５内で等電位面として働く。そして、隔壁電極６と抵抗層７とは絶縁されており、画素面を形成する抵抗層７の電位と、隔壁３の全体を覆う隔壁電極６の電位とにより、帯電粒子９の泳動制御を行う。
【０１０１】
第３実施形態のように、抵抗層７と隔壁電極６とが絶縁され、各々を独立した電極面として使用する構成において、抵抗層７は、シート抵抗１０２Ω／□〜１０１３Ω／□であることが望ましい。また、表示電極５と電気的に接続された抵抗層７の電位面と、抵抗層７から絶縁された隔壁電極６の電位面との間で帯電粒子９の泳動を制御する構成においては、抵抗層７は、シート抵抗１０２Ω／□〜１０１４Ω／□の範囲で、より低いシート抵抗が好ましい。第３実施形態において、抵抗層７は、無機酸化膜であり、シート抵抗は１０３Ω／□である。
【０１０２】
第３実施形態の表面制御層８は、抵抗層７および隔壁電極６の全体を覆うようにアクリル樹脂により形成されており、帯電粒子９の捕捉性能を高めるために、表面に帯電粒子９の直径よりも小さい無数の凹凸が形成されている。
【０１０３】
図１３に示すように、隔壁電極６は、隔壁３と絶縁層１２との間に形成することも可能である。この時、隔壁３は、導電性材料で形成されていることが望ましい。また、図１２の構成においては、隔壁３を覆う表面制御層８の凹凸構造を隔壁３に形成することも可能である。
【０１０４】
＜駆動回路＞
図１４は第２実施形態の電気泳動表示装置の別の駆動回路の説明図、図１５は表示電極の駆動波形の説明図である。図１５中、（ａ）は走査信号、（ｂ）は書き込み電圧信号、（ｃ）は駆動電源線の駆動電位Ｖｄｄ、（ｄ）は表示電極電位、（ｅ）は光学応答である。
【０１０５】
図８に示すように、第２実施例の電気泳動表示装置２００では、表示電極５と隔壁電極６とが抵抗層７によって連絡されているため、表示電極５への電流供給が途絶えると制御電極５の電圧が速やかに低下してしまう。従って、図１１を参照して説明したように、走査信号の１周期の間隔で、書き込み信号線４８（図５）を通じて、表示電極５に書き込み電圧信号を繰り返し印加することになるが、図１０を参照して説明した一定の書き込み電圧信号を印加する場合に比較して、表示単位４５における濃度表現の再現性は電圧変動に起因して悪くなる。
【０１０６】
そこで、図１４に示す駆動回路では、走査信号の入力タイミングで書き込み信号線４８から読み込んだ書き込み電圧信号をコンデンサ５０に記憶させる。そして、コンデンサ５０に蓄積した書き込み電圧で電圧制御ＴＦＴ５３を制御することにより、駆動電源電圧Ｖｄｄから書き込み電圧信号を形成して表示電極５に印加し続ける。コンデンサ５０に蓄積した書き込み電圧は、マイナスのリセット信号を書き込むことでリセットされる。このようにして、図１０を参照して説明したように、一定の書き込み電圧信号を表示電極５に印加し続けることができる。
【０１０７】
図１４に示すように、第２実施形態の電気泳動表示装置２００を駆動するための別の駆動回路は、図５に示す駆動回路に、駆動電源線５２と電圧制御ＴＦＴ５３とが追加されている。電圧制御ＴＦＴ５３は、画素ＴＦＴ４６と同様のｎ型トランジスタである。電圧制御ＴＦＴ５３のソース電極とドレイン電極には、それぞれ駆動電源線５２と画素４５の表示電極５（図８）が接続されており、ゲート電極には画素ＴＦＴ４６のドレイン電極が接続されている。駆動電源線５２は、すべての表示単位４５で共通に接続されており、図１５の（ｃ）に示すように、＋Ｖｄｄと−Ｖｄｄとを交互に印加される。隔壁電極６の電位は共通の０Ｖである。
【０１０８】
図１５の（ａ）、（ｂ）に示すように、走査信号に同期して書き込み電圧信号が印加される。表示単位４５を黒表示とするリセット期間では、ソースドライバ４３が書き込み信号線４８にパルスＶｔ１を出力し、コンデンサ５０に電位Ｖｔ１が保持されて電圧制御ＴＦＴ５３のゲートが電圧Ｖｔ１に保たれる。このとき、図１５の（ｃ）に示すように、駆動電源線５２の電圧は−Ｖｄｄなので、電圧制御ＴＦＴ５３のゲートから電流が流れ込んで電圧制御ＴＦＴ５３がオンとなり、表示単位４５の表示電極５は、図１５の（ｃ）に示すように、一気にリセット電圧Ｖｒ１となる。
【０１０９】
言い換えれば、電圧制御ＴＦＴ５３のソース・ドレイン間抵抗はゲート電圧で制御され、電圧Ｖｔ１を印加した場合の抵抗が、隔壁電極６と表示電極５の間の抵抗層７の抵抗よりも十分低い。従って、隔壁電極６と駆動電源線間で電位差−Ｖｄｄを与えている状態で、抵抗分圧により、表示電極５の電位は、ほぼ−Ｖｄｄとなり、帯電粒子９のリセット動作を行うことができる。
【０１１０】
走査信号の次の周期（フィールド）では、コンデンサ５０に−Ｖｄｄよりも低い電圧Ｖｔ０が書き込まれ、電圧制御ＴＦＴ５３はオフ状態となる。この結果、駆動電源線５２の−Ｖｄｄが遮断されて、抵抗層７を通じた隔壁電極６から表示電極５への漏れ電流によって、表示電極５の電位はゆるやかに０Ｖへ誘導される。
【０１１１】
言い換えれば、電圧制御ＴＦＴ５３のオフは、電圧制御ＴＦＴ５３のソース・ドレイン間抵抗が抵抗層７の抵抗よりも高くなることを意味しており、表示電極５の電位は抵抗分圧の結果、隔壁電極６の電位に近づく。
【０１１２】
その後、電圧制御ＴＦＴ５３が遮断状態で駆動電源線５２の電圧が＋Ｖｄｄに変化した後、走査信号のタイミングでコンデンサ５０に所定の階調書き込みに必要なアナログ電圧の書き込みＶｔ２が書き込まれる。電圧制御ＴＦＴ５３は、コンデンサ５０の書き込み電圧Ｖｔ２によってゲートから電流が流れ込む間、表示電極５を駆動電源線５２に接続し続けるので、表示電極５の電位は書き込み電圧Ｖｔ２に保持される。正確に言えば、書き込み電圧Ｖｔ２から自身の閾値電圧Ｖｔｈを差し引いた電位に表示電極５の電位が維持される。
【０１１３】
言い換えれば、電圧制御ＴＦＴ５３のゲートに電圧Ｖｔ２が書き込まれて、電圧制御ＴＦＴ５３のソース・ドレイン間抵抗が下がる。ここで、抵抗分圧により表示電極５の電位は、電圧制御ＴＦＴ５３のゲート電圧で制御されることから、所望の階調電圧Ｖｗ１を得るための電圧Ｖｔ２を印加すればよい。ここで、電圧Ｖｔ２がＶｔ１よりも高くなる理由は、電圧制御ＴＦＴがｎ型トランジスタで、正極性の電圧＋Ｖｄｄを書き込む条件であり、ソース・ドレイン間抵抗が高いからである。
【０１１４】
その後、次の走査信号のタイミングでコンデンサ５０にリセット用のマイナス電圧Ｖｔ０が書き込まれて、電圧制御ＴＦＴ５３はオフ状態となる。この結果、駆動電源線５２のＶｄｄが遮断されて、抵抗層７を通じた隔壁電極６から表示電極５への漏れ電流によって、表示電極５の電位はゆるやかに０Ｖへ誘導される。
【０１１５】
図１４に示す駆動回路と図１５に示す信号制御とによれば、画素ＴＦＴ４６がオフであっても、抵抗層７の漏れ電流に抵抗して表示電極５を安定した一定電位に維持できるので、再現性の高い良好な画素表示が得られる。
【０１１６】
＜比較例の電気泳動表示装置＞
図１６は比較例の電気泳動表示装置における断面構成の説明図、図１７は別の比較例の電気泳動表示装置における断面構成の説明図である。図１６中、（ａ）は黒表示、（ｂ）は白表示である。
【０１１７】
図１６に示すように、比較例の電気泳動表示装置５００は、多数の表示領域１４５を格子状に配列して、個々の表示領域１４５で画素表示を行わせることにより、画像を表示する。隔壁１０３によって所定の間隔を保持した後方基板１０１と前方基板１０２との間に、多数の帯電粒子１０９を分散させた絶縁性液体１１０が充填されている。
【０１１８】
隔壁１０３によって仕切られた移動空間１２０の底に表示面が設定され、表示面には、表示単位（画素）ごとの表示電極１０５が配置されている。隔壁１０３の表面には、すべての表示単位１４５について共通に接続された隔壁電極１０６が配置されている。表示電極１０５を覆って、後方基板１上には、絶縁性の表示面形成体１０４が積層されている。
【０１１９】
ここで、帯電粒子１０９が黒色に着色されて、プラス帯電の場合、隔壁電極１０６を０Ｖにして表示電極１０５にマイナスの電圧を印加すると、図１６の（ａ）に示すように、帯電粒子１０９は表示電極１０５を覆い尽くす。これにより、前方基板１０２側から見た表示面は、帯電粒子１０９の色である黒表示となる。
【０１２０】
反対に、隔壁電極１０６を０Ｖにして表示電極１０５にプラスの電圧を印加すると、プラス帯電である帯電粒子１０９は、図１６の（ｂ）に示すように、隔壁電極１０６上に移動し、前方基板１０２側からは画素電極１０５の色が観察される。従って、表示電極１０５の色と帯電粒子１０９の色との違いを利用して、反転表示および中間階調の表示を行うことができる。
【０１２１】
比較例の電気泳動表示装置５００では、表示電極１０５が、表示面形成体１０４によって、帯電粒子１０９の移動空間１２０から隔離されているので、表示電極１０５が絶縁性液体を電解させたり、帯電粒子の帯電を喪失させたりする心配が無い。しかし、表示電極１０５と隔壁電極１０６との間に電圧を印加したとき、電圧としてオフ設定した場合でも、表示電極１０５と隔壁電極１０６の間に配置された表示面形成体１０４に残留電荷が発生し、そのため、書き込み位置にある帯電粒子１０９が残留電荷に従って移動し、書き込み画像を崩したり、焼き付きが発生したりする。
【０１２２】
ところで、電気泳動表示装置５００のカラー化においては、三原色のカラーフィルタ層を配置した隣接する３つの表示単位で１つの画素をフルカラー表示させる方法が最も簡単である。そして、表示電極１０５の上にカラーフィルタ層を形成すれば、カラーフィルタ層を前方基板１０２側に設ける場合に発生するあわせずれ問題、ブラックマトリックスによる開口率低下を回避できる。
【０１２３】
しかし、表示電極１０５の上に厚いカラーフィルタ層を配置すると、上記表示面形成体１０４以上に、カラーフィルタ層に残留電荷が発生しやすく、書き込み画像の崩れ、焼き付きなどが発生してしまう。
【０１２４】
図１７に示すように、別の比較例の電気泳動表示装置６００は、後方基板１０１の上に表示電極１０５が形成され、表示電極１０５を囲んで隔壁１０３が配置されている。隔壁１０３の起立面には、表示電極１０５に臨ませて隔壁電極１０６が形成されている。表示電極１０５と隔壁電極１０６とは、それぞれ個別に絶縁層１１１によって覆われて、金属の電極面が帯電粒子１０９や絶縁性液体１１０に接触しないようにしてある。
【０１２５】
別の比較例の電気泳動表示装置６００では、表示電極１０５が絶縁層１１１で覆われているので、表示電極１０５が絶縁性液体を電解させたり、帯電粒子の帯電を喪失させたりする心配が無い。しかし、画像表示のために表示電極１０５と隔壁電極１０６の間に書き込み電圧を印加した後、次に電圧としてオフ設定した場合でも、表示電極１０５と隔壁電極１０６の間に残留電圧が生じ、帯電粒子１０９の位置が安定化せず、表示むらの発生につながってしまう。
【０１２６】
近年、一旦画像書き込みを行った後に表示を維持するための電力を必要としない、電気泳動表示装置の特徴である表示メモリ性を付与するために、電気泳動表示装置を構成する材料の特性関係を規定する各種方法が提案されているが、各種方法において、後方基板１０１および前方基板１０２および隔壁１０３により規定される移動空間１２０の内壁面の表面特性が表示メモリ性を阻害する場合があり、上記残留電荷を低下させても書き込み位置にある帯電粒子１０９をその場に保つことができず、書き込み状態は崩れてしまう。
【０１２７】
＜発明との対応＞
第１実施形態の電気泳動表示装置１００は、表示単位４５ごとの表示面が設定された後方基板１と、表示面を囲んで配置されて帯電粒子９の移動空間２０を仕切る隔壁３とを備える。そして、表示面と隔壁３の起立面とを覆って移動空間２０の界面に配置された表面層８を有し、表面層８は、表面エネルギーと表面電位と表面凹凸とのうち少なくとも１つを下層とは異ならせて、界面における帯電粒子９の拘束性能を高めてある。
【０１２８】
従って、抵抗層、電極面、絶縁層、カラーフィルタ層と言った必要な光学的性質や本質的な機能は下層に委ねて、画素表示のメモリ性を高める性質を含む界面層として必要な資質や機能だけを専ら表面層８に担わせるので、下層に負担させる性質や機能を無視して、画素表示のメモリ性を高める性質を最優先した材料選択、成膜方法、膜厚等を選択して、表面層８を設けない場合よりも、画素表示の焼き付きし難さやメモリ性を改善できる。
【０１２９】
言い換えれば、表示電極５と隔壁電極６との間に印加した電圧により発生する残留電荷が小さくなり、電気泳動表示装置１００内に発生する電気的な要素による書き込み画像の崩れ、焼き付きを抑えることが可能となる。
【０１３０】
併せて、電気泳動表示装置１００を構成する材料特性の関係規定により表示メモリ性が付与されるため、安定なメモリ性を設定することができる。加えて、表示単位４５ごとの電気的なばらつきを抑えることにもなるため、書き込みレベルが安定し、諧調表示の安定も高められる。
【０１３１】
また、抵抗層７および表面層８の素子構成、製造方法を採用することにより、種々の成膜方法を選択することが可能となり、製造容易性、大面積対応を得ることができることに加え、基板材料の選択自由度も広がる為、電気泳動表示装置１００のフレキシブル化も容易となる。
【０１３２】
また、一度電気アドレッシングによる画像書き込みを行えば表示維持電力を供給しなくとも画像は安定して表示され続けるため、表示画像の書き換え時以外電力を必要としないので、低電圧、小型電池での駆動が求められる電子ペーパー、読書端末等に利用できる。
【０１３３】
第１実施形態の電気泳動表示装置１００は、表示面を覆う抵抗層７が前記下層として配置される。従って、抵抗層７による種々の効果を実現できる。
【０１３４】
第１実施形態の電気泳動表示装置１００は、表示面の平面中央に配置された表示電極５を有し、抵抗層７は、表示電極５と表示面とを一体に覆って配置される。
【０１３５】
第２実施形態の電気泳動表示装置２００は、表示面の下方に配置された表示単位４５ごとの表示電極５と、表示電極５の上に配置された絶縁性の表示面形成体４とを有し、抵抗層７は、表示電極５に接続されて、表示面形成体４を覆って配置される。従って、移動空間２０の帯電防止が実現される。
【０１３６】
第２実施形態の電気泳動表示装置２００は、表示面の中央部に配置されたコンタクトホール１１によって抵抗層７と表示電極５とが接続している。従って、抵抗層７が電極面として機能して帯電粒子９を集合、離散させる。
【０１３７】
第２実施形態の電気泳動表示装置２００は、表示面形成体４は、隣接する複数の表示面で吸収波長特性を異ならせたカラーフィルタ層４ａ、４ｂ、４ｃとして形成され、複数の表示面によって１つの画素をカラー表示する。
【０１３８】
第１実施形態の電気泳動表示装置１００は、隔壁３の起立面に形成された電極面と表示電極５とに接続して抵抗層７が配置され、隔壁３の電極面と表示電極５との間に電圧信号を印加すると、表示面の抵抗層７に電位勾配が生じる。従って、表示面の中央寄りでの帯電粒子９の移動速度が増す。
【０１３９】
なお、第１実施形態の電気泳動表示装置１００は、隔壁３の起立面に形成された電極面と表示面の抵抗層７とが電気的に分離されていてもよい。
【０１４０】
第１実施形態の電気泳動表示装置１００は、抵抗層７と表面層８とが物性や材料の一部を成膜過程で変化させた連続膜により形成されていてもよい。表面層８は、下層とは別材料の積層、塗布、下層と同一材料で添加物を異ならせた積層、下層と同一材料で成膜条件を異ならせた積層、形成された下層の表面に対する後処理等によって、下層に重ねて形成できる。
【０１４１】
第１実施形態の電気泳動表示装置１００は、図５に示すように、複数の書き込み信号線４８と、書き込み信号線４８に立体交差させた複数の走査信号線４７と、書き込み信号線４８と走査信号線４７との交差位置に対応して配置した表示単位４５ごとの画素ＴＦＴ４６とを有する。そして、走査信号線４７の電圧が変化したタイミングで、書き込み信号線４８から、画素ＴＦＴ４６を通じて、表示電極５に供給する書き込み電圧信号を取り込む。
【０１４２】
図１４に示す駆動回路では、書き込み電圧よりも絶対値の大きな電源電圧＋Ｖｄｄを表示単位４５に供給する駆動電源線５２と、電源電圧＋Ｖｄｄから形成した書き込み電圧信号を表示電極５に供給する電圧制御ＴＦＴと、取り込んだ書き込み電圧信号を保持して電圧制御ＴＦＴを制御することにより、少なくとも書き込み電圧信号の取り込み間隔における書き込み電圧信号を維持させるコンデンサ５０とを有する。従って、抵抗層７を通じた電流漏れに対抗して表示電極５の電位を一定に維持して、再現性の良い、制御性の良い画像表示が実現される。
【０１４３】
図１４に示す駆動回路では、駆動電源線５２は、書き込み電圧信号を維持させる期間の終了後に、電源電圧＋Ｖｄｄとは正負の異なるリセット電圧−Ｖｄｄを表示単位４５に供給する。従って、全画素を一括リセットして書き込みへ移行できる。
【０１４４】
図１０に示す駆動方法は、絶縁性の表示面形成体４下に配置された表示電極５と隔壁３電極とが抵抗層７によって接続された電気泳動表示装置２００に適用される。そして、表示電極５と隔壁３電極との間に印加された電圧を解除する立ち下げ時間は、表示電極５と隔壁３電極との間に印加する電圧の立ち上げ時間よりも長い。従って、表示面形成体４の帯電を防止できる。
【０１４５】
図１５に示す駆動方法は、表示電極５と隔壁３電極とが抵抗層７によって接続された電気泳動表示装置２００に適用される。共通の駆動電源線５２に供給された電源電圧＋Ｖｄｄから書き込み電圧信号を形成して表示電極５に供給する電圧制御ＴＦＴを表示電極５ごとに設ける。そして、駆動電源線５２に電源電圧とは正負が異なるリセット電圧−Ｖｄｄを供給して表示状態をリセットした後に、駆動電源線５２に駆動電源電圧を供給して、電圧制御ＴＦＴによる書き込み電圧信号を表示電極５に印加する。従って、全画素を一括リセットして書き込みへ移行できる。
【０１４６】
図１４、図１５に示す駆動方法は、所定の取り込み間隔で取り込んだ書き込み電圧信号を保持して電圧制御ＴＦＴを制御するコンデンサ５０を設け、駆動電源線５２にリセット電圧−Ｖｄｄが供給されるまで、コンデンサ５０によって表示電極５の書き込み電圧信号を維持させる。従って、抵抗層７を通じた電流漏れに対抗して表示電極５の電位を一定に維持して、再現性の良い、制御性の良い画像表示が実現される。
【図面の簡単な説明】
【０１４７】
【図１】第１実施形態の電気泳動表示装置における断面構成の説明図である。
【図２】第１実施形態の電気泳動表示装置における平面構成の説明図である。
【図３】表示単位が長方形の場合の平面構成の説明図である。
【図４】隔壁電極が表示面形成体上に直接配置された場合の断面構成の説明図である。
【図５】電気泳動表示装置の表示単位の駆動回路の説明図である。
【図６】電気泳動表示装置の駆動回路のブロック図である。
【図７】電気泳動表示装置の１表示単位の駆動波形の説明図である。
【図８】第２実施形態の電気泳動表示装置における断面構成の説明図である。
【図９】隔壁電極が表示面形成体上に直接配置された場合の断面構成の説明図である。
【図１０】第２実施形態における１つの表示単位の駆動波形の説明図である。
【図１１】走査を伴う表示単位の駆動における駆動波形の説明図である。
【図１２】第３実施形態の電気泳動表示装置における断面構成の説明図である。
【図１３】隔壁電極が絶縁層上に直接配置された場合の断面構成の説明図である。
【図１４】第２実施形態の電気泳動表示装置の別の駆動回路の説明図である。
【図１５】表示電極の駆動波形の説明図である。
【図１６】比較例の電気泳動表示装置における断面構成の説明図である。
【図１７】別の比較例の電気泳動表示装置における断面構成の説明図である。
【符号の説明】
【０１４８】
１  表示側基板（後方基板）
２  観察側基板（前方基板）
３  隔壁
４  表示面形成体
４ａ、４ｂ、４ｃ  着色層（カラーフィルタ層）
５  表示電極
６  隔壁電極
７  抵抗層
８  表面制御層（表面層）
９  帯電粒子
１０  絶縁性液体
１１  コンタクトホール
１２  絶縁層
１３  接続用材料
２０  移動空間
４１  パネルコントローラ
４２  ゲートドライバ
４３  ソースドライバ
４４  電気泳動表示パネル
４５  表示単位（画素）
４６  取り込みトランジスタ素子（画素ＴＦＴ）
４７  走査信号線
４８  書き込み信号線
５０  維持回路（コンデンサ）
５２  電源手段、電源線（駆動電源線）
５３  制御トランジスタ素子（電圧制御ＴＦＴ）
１００、２００、３００  粒子移動型表示装置（電気泳動表示装置）
【図１】
2007072349.tif 000003
【図２】
2007072349.tif 000004
【図３】
2007072349.tif 000005
【図４】
2007072349.tif 000006
【図５】
2007072349.tif 000007
【図６】
2007072349.tif 000008
【図７】
2007072349.tif 000009
【図８】
2007072349.tif 000010
【図９】
2007072349.tif 000011
【図１０】
2007072349.tif 000012
【図１１】
2007072349.tif 000013
【図１２】
2007072349.tif 000014
【図１３】
2007072349.tif 000015
【図１４】
2007072349.tif 000016
【図１５】
2007072349.tif 000017
【図１６】
2007072349.tif 000018
【図１７】
2007072349.tif 000019